(57)【要約】【課題】、直流電源に初期過電流を防止するために負荷に直列な抵抗手段が講じられている装置の抵抗の電力損失を取り除き、負荷の発熱を押さえ、電流源の消耗を押さえ、ひいてはエネルギーの無駄使いをなくする。【解決手段】直流電源が負荷回路に接続されていない時は、接続していない状態を検知する手段を有し、その検知信号により、直流電源中の出力コンデンサーと直流電源を第一のスイッチ手段で切断して、出力コンデンサーの両端を第二のスイッチ手段で短絡放電してコンデンサーは常に無電荷の状態にし、直流電源が負荷回路に接続されている時は、接続している状態を検知する手段を有し、その検知信号により、直流電源中の出力コンデンサーと直流電源を第一のスイッチ手段で接続して、出力コンデンサーの両端を第二のスイッチ手段で切断してコンデンサーは蓄電とともに本来の直流電源機能を生じさせる手段。【選択図】図５
2008117360.tif 000002
【特許請求の範囲】
【請求項１】
直流電源が負荷回路に接続されていない状態と接続されている状態を検知する手段を有し、その検知信号を処理する第１検知信号処理手段と第２検知信号処理手段を有し、第１検知信号処理手段により直流電源中の出力コネクターと直流電源を接続か切断する第一のスイッチ機能手段を有し、第２検知信号処理手段により直流電源中の出力コンデンサーの両端を接続か切断する第二のスイッチ機能手段を有する  直流電源装置
【請求項２】
直流電源と負荷回路の接続コネクターを３端子接続タイプとし、負荷側のコネクターの２つの端子は常に短絡して短絡していない端子は負荷を介して短絡端子に接続し、、検知用トランジスター（Ｑ３）のＢ（ベース）を直流電源中の定電流源の＋極に抵抗を介して接続し、Ｅ（エミッタ−）を定電流源の  −極に接続し、Ｃ（コレクター）を定電流源の  ＋極に抵抗（Ｒ４）を介して接続し、直流電源側のコネクターの３つの端子のうち１つは定電流源の−極に接続し、他の二つのうち１つはＢに接続した、回路接続切断検知手段を有し、
定電流源の  ＋極は第１トランジスター（Ｑ１）のＥに接続し、Ｃを直流電源側のコネクターの３つの端子のうち検知トランジスタ（Ｑ３）のＢに接続していなくかつ定電流源のー極に接続していない端子に接続した、第１トランジスター（Ｑ１）を用いた直流電源中の出力コネクターと直流電源を接続か切断する第一のスイッチ機能手段手段を有し、
検知用トランジスター（Ｑ３）のＣを３線に分け、１番線と抵抗（Ｒ２）を介して定電流源の＋極に接続し、２番線を検知信号処理用２トランジスター（Ｑ２）のベースに接続し、３番線を検知信号処理用３トランジスター（Ｑ５）のベースに接続し、検知信号処理用２トランジスター（Ｑ２）のＥを定電流源のー極に接続し、Ｃを第１トランジスター（Ｑ１）のＢに抵抗（Ｒ３）を介して接続し、検知信号処理用３トランジスター（Ｑ５）のＥを第１トランジスター（Ｑ１）のＥに接続し、Ｃを第１トランジスター（Ｑ１）のＢに接続した、第１スイッチ機能手段を制御する第１検知信号処理手段を有し、
第４のトランジスター（Ｑ４）のＣを抵抗（Ｒ６）を介して直流電源中の出力コンデンサーの＋極に接続し、第４トランジスター（Ｑ４）のＥを定電流源のー極を共有する直流電源中の出力コンデンサーのー極に接続した  直流電源中の出力コンデンサーの両端を接続か切断する第２スイッチ機能手段を有し、
検知用トランジスター（Ｑ３）のＢを第４トランジスター（Ｑ４）のＢに接続した第２スイッチ機能手段を制御する第２検知信号処理手段を有した  直流電源装置
【請求項３】
特許請求項２の第１検知信号処理手段の代わりに、
検知用トランジスター（Ｑ３）のＣを２線に分け、１番線と抵抗を介して定電流源の＋極に接続し、２番線を検知信号処理用２トランジスター（Ｑ２）のベースに接続し、第２トランジスター（Ｑ２）のＥを定電流源のー極に接続し、Ｃを第１トランジスター（Ｑ１）のＢに抵抗（Ｒ３）を介して接続し、別抵抗（Ｒ７）を第１トランジスター（Ｑ１）のＥとＢに接続した、第１スイッチ機能手段を制御する第１検知信号処理手段を有した、特許請求項２記載の装置
【請求項４】
直流電源と負荷回路の接続コネクターを２端子接続タイプとし、直流電源中に−極を共有する定電流源４と定電圧源５を用意し、検知用トランジスター（Ｑ３）のＢ（ベース）を直流電源中の定電圧源５の＋極に抵抗（Ｒ５）とチェナーダイオード（ＺＤ１）と抵抗（Ｒ４）を介して接続し、Ｅ（エミッタ−）を定電流源４の  −極に接続し、Ｃ（コレクター）を定電圧源５の  ＋極に抵抗（Ｒ２）を介して接続し、直流電源側のコネクターの２つの端子のうち１つは定電圧源５のー極に接続した、回路接続切断検知手段を有し、
定電流源４の  ＋極を第１トランジスター（Ｑ１）のＥに接続し、Ｃをダイオード（Ｄ１）を介して直流電源側のコネクターの１つの端子にチェナーダイオード（ＺＤ１）と抵抗（Ｒ４）の接続部に接続し、定電流源４の  −極は直流電源側のコネクターの他の１つの端子に接続した、第１トランジスター（Ｑ１）を用いた直流電源中の出力コネクターと定電流源４を接続か切断する第一のスイッチ機能手段手段を有し
検知用トランジスター（Ｑ３）のＣを３線に分け、１番線と抵抗（Ｒ２）を介して定電流源４の＋極に接続し、２番線を検知信号処理用２トランジスター（Ｑ２）のベースに接続し、３番線を検知信号処理用３トランジスター（Ｑ５）のベースに接続し、検知信号処理用２トランジスター（Ｑ２）のＥを定電流源４のー極に接続し、Ｃを第１トランジスター（Ｑ１）のＢに抵抗（Ｒ３）を介して接続し、検知信号処理用３トランジスター（Ｑ５）のＥを第１トランジスター（Ｑ１）のＥに接続し、Ｃを第１トランジスター（Ｑ１）のＢに接続した、第１スイッチ機能手段を制御する第１検知信号処理手段を有し、
第４のトランジスター（Ｑ４）のＣを抵抗（Ｒ６）を介して直流電源中の出力コンデンサーの＋極に接続し、第４トランジスター（Ｑ４）のＥを定電流源４のー極を共有する直流電源中の出力コンデンサーのー極に接続した  直流電源中の出力コンデンサーの両端を接続か切断する第２スイッチ機能手段を有し、
検知用トランジスター（Ｑ３）のＢを第４トランジスター（Ｑ４）のＢに接続した第２スイッチ機能手段を制御する第２検知信号処理手段を有した  直流電源装置
【請求項５】
特許請求項４記載の第１検知信号処理手段の代わりに、検知用トランジスター（Ｑ３）のＣを２線に分け、１番線と抵抗を介して定電流源４の＋極に接続し、２番線を検知信号処理用２トランジスター（Ｑ２）のベースに接続し、第２トランジスター（Ｑ２）のＥを定電流源４のー極に接続し、Ｃを第１トランジスター（Ｑ１）のＢに抵抗（Ｒ３）を介して接続し、別抵抗（Ｒ７）を第１トランジスター（Ｑ１）のＥとＢに接続した、第１スイッチ機能手段を制御する第１検知信号処理手段を有した、特許請求項４記載の装置
【請求項６】
特許請求項１記載の負荷の代わりに、ＬＥＤ負荷とした特許請求項１記載の装置
【請求項７】
特許請求項２記載の負荷の代わりに、ＬＥＤ負荷とした特許請求項２記載の装置
【請求項８】
特許請求項３記載の負荷の代わりに、ＬＥＤ負荷とした特許請求項３記載の装置
【請求項９】
特許請求項４記載の負荷の代わりに、ＬＥＤ負荷とした特許請求項４記載の装置
【請求項１０】
特許請求項５記載の負荷の代わりに、ＬＥＤ負荷とした特許請求項５記載の装置
【発明の詳細な説明】
【技術分野】本発明はＬＥＤ点灯の直流電源の過電流防止装置に関する。
【背景技術】  直流電源にスイッチ（ＳＷ）を介して負荷を結線し、ＳＷ  Ｏｎ（入り）した瞬時では負荷に大きな電流がながれ問題になることはよく知られており、これに対して負荷に直列に抵抗を入れて過電流を防止する手段は講じられていた。しかし、ＬＥＤ点灯負荷回路などではこの抵抗による電力損失が発生したまま使用されている。
【発明が解決しようとする課題】
本発明は、直流電源に初期過電流を防止するために負荷ＬＥＤに直列な抵抗手段が講じられている装置の抵抗の電力損失を取り除くもので、発熱を押さえ、電流源の消耗を押さえ、ひいてはエネルギーの無駄使いをなくするものである。
【課題を解決するための手段】
従来の方法について説明する。図１は直流電源に初期過電流を防止してない場合の説明図である。上図は説明回路図で、回路中、左図は直流電源を右図は負荷ＬＥＤを表し、コネクターＣＮ１とコネクターＣＮ２を接続して負荷に電流が流れる回路となっている。回路中、４は定電流源でバッテリー或いはＡＣ／ＤＣコンバーター或いはＤＣ／ＤＣコンバーターを表し、Ｃ１は直流電源のトータルした出力コンデンサーを表している。
ＣＮ１とＣＮ２が接続されていない状態では、Ｃ１には定電流源４の＋側に＋電荷が蓄積されている。今、ＣＮ１とＣＮ２を接続すると、下図のような電流が負荷に流れる。下図は横軸に時間ｔを縦軸に電流ｉをとっており、ｔｏ点は回路接続した時点を表している。すると、グラフに示すように、Ｃ１に充電させられていた＋電荷がｔｏ点で初期過電流として制限なしに負荷に流れ、次にＬＥＤによる負荷に従って定常電流となる。この初期過電流によりＬＥＤにストレスを与えＬＥＤ寿命を短命化し、場合によっては過電流によりＬＥＤを破壊する。
図２は、過電流を防止するための従来の説明図である。上図の左図は、図１の左図と同等であるが、右図のＬＥＤの負荷回路に抵抗Ｒ１が直列に挿入されている。回路中、４は定電流源でバッテリー或いはＡＣ／ＤＣコンバーター或いはＤＣ／ＤＣコンバーターを表し、Ｃ１は直流電源のトータルした出力コンデンサーを表している。
ＣＮ１とＣＮ２が接続されていない状態では、Ｃ１には定電流源４の＋側に＋電荷が蓄積されている。今、ＣＮ１とＣＮ２を接続すると、下図のような電流が負荷に流れる。下図は横軸に時間ｔを縦軸に電流ｉをとっており、ｔｏ点は回路接続した時点を表している。すると、グラフに示すように、Ｃ１に充電させられていた＋電荷がｔｏ点で初期過電流として、Ｒ１で制限された電流が流れ、次にＬＥＤによる負荷に従って定常電流となる。図１に比べて過電流が大きく制限されており、ＬＥＤにストレスをかけたり破壊させたりすることはない。しかし、そのためにＲ１には電気損失が常に発生しており、定電流源４のバッテリーをより消耗し、或いはＡＣ／ＤＣコンバーターの電力をより消耗し、或いはＤＣ／ＤＣコンバーターの電力をより消耗し、ひいてはエネルギーの無駄使いをしていることになる。
図３は図２の抵抗Ｒ１で発生する損失電流をなくする本発明の説明例図である。上図の回路中、ＫはＣＮ１とＣＮ２が接続しているか切断されているかを検知する手段を表わし、４は定電流源でバッテリー或いはＡＣ／ＤＣコンバーター或いはＤＣ／ＤＣコンバーターを表し、Ｃ１は直流電源のトータルした出力コンデンサーを表しており、第一スイッチ手段ＳＷ１と第二スイッチ手段ＳＷ２が回路に挿入され、ＳＷ１はＫの検知信号Ｓ１により接続か切断され、ＳＷ２はＫの検知信号Ｓ２によりＣ１の両端を接続か切断させることができる回路となっている。ＣＮ１とＣＮ２が接続されていない状態では、Ｓ１によりＳＷ１はＯｆｆ（切る）に、Ｓ２によりＳＷ２はＯｎ（入る）になり、Ｃ１の両端は接続されＣ１は電荷を放電しており電荷は蓄積されていない。今、ＣＮ１とＣＮ２を接続すると同時にＳ１によりＳＷ１をＯｎに、Ｓ２によりＳＷ２をＯｆｆになり、下図のような電流が負荷に流れる。下図は横軸に時間ｔを縦軸に電流ｉをとっており、ｔｏ点は回路接続した時点を表している。グラフに示すように、Ｃ１には電荷がないのでｔｏ点で初期過電流はながれなく、ｔｏを過ぎるとＣ１に蓄積されながら、ＬＥＤによる負荷に従って本来の定常電流となる。
これらの手段により、Ｒ１抵抗をなくして直流電源の初期過電流を防ぎ電気損失を無くし、バッテリーの消耗を押さえ、或いはＡＣ／ＤＣコンバーターの電力の消耗を押さえ、或いはＤＣ／ＤＣコンバーターの電力の消耗を押さえ、ひいてはエネルギーの無駄使いをなくし、負荷のＬＥＤにストレスをかけなく或いは破壊することもない。
【発明を実施するための最良の形態】  図５は本発明の実施例である。回路中、４は定電流源でバッテリーか或いはＡＣ／ＤＣコンバーター或いはＤＣ／ＤＣコンバーターを表し、Ｃ１は直流電源のトータルした出力コンデンサーを表し、Ｑ１、Ｑ５はｐｎｐ型のトランジスターＳＷを表し、Ｑ２、Ｑ３、Ｑ４はｎｐｎ型のトランジスターＳＷを表し、Ｒ２、Ｒ３、Ｒ４、Ｒ６は各トランジスターの動作点を調整する定抵抗を表している。ＣＮ３は本発明直流電源の出力コネクターを表し、ＣＮ４はＬＥＤ回路の本発明の入力コネクターを表している。
各トランジスターＳＷの動きを説明するために図４にトランジスターＳＷの基本動作をあげておく。図４に示すよにｎｐｎ型においてはＢＥ（ベイス／エミッター）間の電圧がＨ（高レベル）になったらＣＥ（コレクター／エミッター）間が電気的にＯｎになり、ＢＥ間の電圧がＬ（低レベル）になったらＣＥ間が電気的にＯｆｆになる。ｐｎｐ型においてはＥＢ間の電圧がＨになったらＥＣ間が電気的にＯｎになり、ＢＥ間の電圧がＬになったらＥＣ間が電気的にＯｆｆになる。
この基本動作に従って図５の回路の動作を、図６の動作表に従って説明する。コネクターＣＮ３とＣＮ４が接続されていない状態では（図６の最上段ＯＦＦ）、Ｑ３のＢ（ベース）は定電流源４の＋極に抵抗Ｒ４を介して接続されて−極には接続されておらず、Ｅ（エミッタ−）は定電流源４の  −極に接続されており、ＢＥ間はＨレベル（図６の２段目左）に保持されている。このＨレベルの検知機能がＫの検出手段である。するとＱ３のＣＥ間はＯｎ（図６の３段目左）になており、Ｑ２のＢ（ベース）とＥ（エミッタ−）間はＬ（図６の４段目左）になり、Ｑ２のＣ（コレクター）とＥ（エミッタ−）間はＯｆｆ（図６の５段目左）になる。と同時にＱ５のＥ（エミッタ−）とＢ（ベース）間はＨ（図６の１０段目左）になり、Ｑ５のＥ（エミッタ−）とＣ（コレクター）間はＯｎ（図６の１１段目左）になる。これにより、Ｑ１のＥ（エミッタ−）とＢ（ベース）間はＬ（図６の６段目左）になる。
このＬレベルが検知信号Ｓ１である。すると、Ｑ１のＥ（エミッタ−）とＣ（コレクター）間はＯｆｆ（図６の７段目左）になる。また、Ｑ４のＢ（ベース）とＥ（エミッタ−）間はＱ３と同様にＨ（図６の８段目左）になる。このＨレベルが検知信号Ｓ２である。すると、Ｑ４のＣ（コレクター）とＥ（エミッタ−）間はＯｎ（図６の９段目左）になる。即ち、ＣＮ３とＣＮ４が接続されていない状態では、Ｑ１回路はＯｆｆで、Ｃ１コンデンサーは抵抗Ｒ６とＱ４を介して放電されて電荷は蓄積されない。
次に、コネクターＣＮ３とＣＮ４が接続されいる状態の説明をする。ＣＮ３とＣＮ４が接続され（図６の最上段ＯＮ）、Ｑ３のＢ（ベース）は定電流源４の＋極に抵抗Ｒ４を介して接続されて、他方はＣＮの３端子から負荷側の端子３を通って端子２に接続され、再び電源側のＣＮの端子２を通って−極には接続されている。Ｅ（エミッタ−）は定電流源４の  −極に接続されており、ＢＥ間はＬレベル（図６の２段目右）に保持される。このＬレベルの検知機能がＫの検出手段である。するとＱ３のＣＥ間はＯｆｆ（図６の３段目右）になており、Ｑ２のＢ（ベース）とＥ（エミッタ−）間はＨ（図６の４段目右）になり、Ｑ２のＣ（コレクター）とＥ（エミッタ−）間はＯｎ（図６の５段目右）になる。と同時にＱ５のＥ（エミッタ−）とＢ（ベース）間はＬ（図６の１０段目右）になり、Ｑ５のＥ（エミッタ−）とＣ（コレクター）間はＯｆｆ（図６の１１段目右）になる。これにより、Ｑ１のＥ（エミッタ−）とＢ（ベース）間はＨ（図６の６段目右）になる。このＨレベルが検知信号Ｓ１である。するとＱ１のＥ（エミッタ−）とＣ（コレクター）間はＯｎ（図６の７段目右）になる。また、Ｑ４のＢ（ベース）とＥ（エミッタ−）間はＱ３と同様にＬ（図６の８段目右）になる。このＬレベルが検知信号Ｓ２である。するとＱ４のＣ（コレクター）とＥ（エミッタ−）間はＯｆｆ（図６の９段目右）になる。即ち、ＣＮ３とＣＮ４が接続されている状態では、Ｑ１回路はＯｎで、Ｃ１コンデンサーはＱ４がＯｆｆで蓄電がはじまる。次にＬＥＤによる負荷に従って定常電流となる。第５図の下図は、時刻ｔｏでＣＮ３とＣＮ４を接続したのちの様子を示したものである。この回路により第３図で示した動作と同等の動きがえられる。この回路は負荷側のコネクターはＣＮ４に示すようにＣＮ３に対応して端子１、２、３と、２と３の接続をしておかなければいけない。この手段により直流電源の初期過電流を防ぎ電気損失を無くし、バッテリーの消耗を押さえ、或いはＡＣ／ＤＣコンバーターの電力の消耗を押さえ、或いはＤＣ／ＤＣコンバーターの電力の消耗を押さえ、ひいてはエネルギーの無駄使いをなくし、負荷のＬＥＤにストレスをかけなく或いは破壊することもない。
図７に別実施例をしめす。本実施例は、図５のＱ１のＥＢ（エミッタ−／ベース）間の電圧レベルを制御しているＱ５の代わりに抵抗Ｒ７を用いたものである。Ｑ２がＯｆｆならＲ７の両端は同レベル、即ちＱ１のＥＢはＬに、Ｑ２がＯｎならＲ７の両端は電圧がかかり、即ちＱ１のＥＢはＨになり、以下図５と同様の動きをするので説明は省く。本回路は図５に比べトランジスターが一個へり動作確認が簡単になる。
図８は本発明の別の実施例である。回路中、４は定電流源でバッテリーか或いはＡＣ／ＤＣコンバーター或いはＤＣ／ＤＣコンバーターを表し、５は定電圧源でバッテリーか或いはＡＣ／ＤＣコンバーター或いはＤＣ／ＤＣコンバーターを表し、定電流源４と定電圧源５はー極を共有する。Ｃ１は直流電源のトータルした出力コンデンサーを表し、Ｑ１、Ｑ５はｐｎｐ型のトランジスターＳＷを表し、Ｑ２、Ｑ３、Ｑ４はｎｐｎ型のトランジスターＳＷを表し、Ｒ２、Ｒ３、Ｒ４、Ｒ５、Ｒ６は各トランジスターの動作点を調整する定抵抗を表し、ＺＤ１はチェナーダイオードを表し、Ｄ１はダイオードを表している。ＣＮ１は本発明直流電源の出力コネクターを表し、ＣＮ２はＬＥＤ回路の入力コネクターを表している。図４のトランジスターＳＷの基本動作に従って図８の回路の動作を、図９の動作表を用いて説明する。コネクターＣＮ１とＣＮ２が接続されていない状態では（図９の最上段ＯＦＦ）、Ｑ３のＢ（ベース）は定電圧源５に抵抗Ｒ５、チェナーダイオードＺＤ１、抵抗４を介して接続されているが、−極には接続されておらず、Ｅ（エミッタ−）は定電圧源５の  −極に接続されている。ＢＥ間は、Ｈレベル（図９の２段目左）に保持されている。
このＨレベルの検知機能がＫの検出手段である。するとＱ３のＣＥ間はＯｎ（図９の３段目左）になており、Ｑ２のＢ（ベース）とＥ（エミッタ−）間はＬ（図９の４段目左）になり、Ｑ２のＣ（コレクター）とＥ（エミッタ−）間はＯｆｆ（図９の５段目左）になる。と同時にＱ５のＥ（エミッタ−）とＢ（ベース）間はＨ（図９の１０段目左）になり、Ｑ５のＥ（エミッタ−）とＣ（コレクター）間はＯｎ（図９の１１段目左）になる。これにより、Ｑ１のＥ（エミッタ−）とＢ（ベース）間はＬ（図９の６段目左）になる。このＬレベルが検知信号Ｓ１である。するとＱ１のＥ（エミッタ−）とＣ（コレクター）間はＯｆｆ（図９の７段目左）になる。また、Ｑ４のＢ（ベース）とＥ（エミッタ−）間はＱ３と同様にＨ（図９の８段目左）になる。このＨレベルが検知信号Ｓ２である。Ｑ４のＣ（コレクター）とＥ（エミッタ−）間はＯｎ（図９の９段目左）になる。即ち、ＣＮ１とＣＮ２が接続されていない状態では、Ｑ１回路はＯｆｆで、Ｃ１コンデンサーはＱ４、抵抗Ｒ６を介して放電されて電荷は蓄積されない。次に、コネクターＣＮ１とＣＮ２が接続されいる状態の説明をする。ＣＮ１とＣＮ２が接続されていない状態では（図９の最上段ＯＦＦ）、Ｑ３のＢ（ベース）は定電圧源５に抵抗Ｒ５、チェナーダイオードＺＤ１、抵抗４を介して接続されて−極には接続されておらず、Ｅ（エミッタ−）は定電圧源５の  −極に接続されている。他方、コネクターＣＮ１の端子１はコネクターＣＮ２の端子１に接続され、負荷ＬＥＤを経由してＣＮ２の端子２からＣＮ１の端子２を経由して定電圧源５のー極に接続されている。この定電圧源５の＋極、Ｒ５、ＬＥＤ、定電圧源５のー極、の回路のＬＥＤ印加電圧はＲ５により変り、即ち、ＺＤ１、Ｒ４を介してＱ３のＢＥ（ベース／エミッタ−）間の電圧をＬにするするようにＲ５を選ぶ。これにより、ＣＮ１とＣＮ２を接続すると瞬時にＱ３のＢＥ間はＬレベル（図９の２段目右）に保持されている。このＬレベルの検知機能がＫの検出手段である。するとＱ３のＣＥ間はＯｆｆ（図９の３段目右）になており、Ｑ２のＢ（ベース）とＥ（エミッタ−）間はＨ（図９の４段目右）になり、Ｑ２のＣ（コレクター）とＥ（エミッタ−）間はＯｎ（図９の５段目右）になる。と同時にＱ５のＥ（エミッタ−）とＢ（ベース）間はＬ（図９の１０段目右）になり、Ｑ５のＥ（エミッタ−）とＣ（コレクター）間はＯｆｆ（図９の１１段目右）になる。これにより、Ｑ１のＥ（エミッタ−）とＢ（ベース）間はＨ（図９の６段目右）になる。このＨレベルが検知信号Ｓ１である。Ｑ１のＥ（エミッタ−）とＣ（コレクター）間はＯｎ（図９の７段目右）になる。また、Ｑ４のＢ（ベース）とＥ（エミッタ−）間はＱ３と同様にＬ（図９の８段目右）になり、このＬレベルが検知信号Ｓ２である。Ｑ４のＣ（コレクター）とＥ（エミッタ−）間はＯｆｆ（図９の９段目右）になる。即ち、ＣＮ１とＣＮ２が接続されている状態では、Ｑ１回路はＯｎで、定電流源４からの電流は、Ｃ１コンデンサーではＱ４がＯｆｆで蓄電がはじまり、ダイオードＤ１を通りＣＮ１、ＣＮ２を介してＬＥＤを通ってながれる。その様子を図８の下図に示す。時刻ｔｏでＣＮ１とＣＮ２が接続された���する。ＬＥＤに流れる電流はＲ５で制御された電流ｉ５とＱ１による回路を流れる電流の足し算となり、グラフに示すように、Ｒ５で制御された横軸平行な点線の電流とＱ１回路の勾配を持った点線の電流の足し算で（実線）表され、初期過電流は負荷ＬＥＤには流れない。Ｒ５は十分大きくとることができグラフに示すように低レベルのｉ５とすることができる。また、負荷側のコネクターは、回路的に従来のまま使用できるという特長がある。この手段により直流電源の初期過電流を防ぎ電気損失を無くし、バッテリーの消耗を押さえ或いはＡＣ／ＤＣコンバーターの電力の消耗を押さえ、或いはＤＣ／ＤＣコンバーターの電力の消耗を押さえ、ひいてはエネルギーの無駄使いをなくし、負荷のＬＥＤにストレスをかけなく或いは破壊することもない。
図１０に別実施例をしめす。本実施例は、図８のＱ１のＥＢ（エミッタ−／ベース）間の電圧レベルを制御しているＱ５の代わりに抵抗Ｒ７を用いたものである。Ｑ２がＯｆｆならＲ７の両端は同レベル、即ちＱ１のＥＢはＬに、Ｑ２がＯｎｆならＲ７の両端は電圧がかかり、即ちＱ１のＥＢはＨになり、以下図８と同様の動きをするので説明は省く。本回路は図８に比べトランジスターが一個へり動作確認が簡単になる。
以上の本説明は、コネクターの接続切断の検知手段、スイッチ手段にあるトランジスターの型を含んだ機能素子を用いたが、他の例えば、トランジスタの別型とか、ＭＯＳタイプの機能素子とか機能が同じであれば何でも良く、また負荷としてＬＥＤを用いたがＬＥＤに限定したものではない。
【発明の効果】
本発明によれば、直流電源と負荷を接続した時、負荷にストレスを与えなく、負荷を破壊することなく、余分な電力損失がなく、発熱を押さえ、電流源の消耗を押さえ、ひいてはエネルギーの無駄使いをなくするものである。
【図面の簡単な説明】
【図１】本発明にかかる説明図
【図２】本発明にかかる説明図
【図３】本発明にかかる説明図
【図４】本発明にかかる説明図
【図５】本発明の実施例
【図６】本発明にかかる説明図
【図７】本発明の実施例
【図８】本発明の実施例
【図９】本発明にかかる説明図
【図１０】本発明の実施例
【符号の説明】
１                コネクターの端子
２                コネクターの端子
３                コネクターの端子
４                定電流回路を有したバッテリー或いはＡＣ／ＤＣコンバーター或いは                  ＤＣ／ＤＣコンバーター
５                定電圧回路を有したバッテリー或いはＡＣ／ＤＣコンバーター或いは                  ＤＣ／ＤＣコンバーター
Ｃ１              出力コンデンサー
ＣＮ１            コネクター
ＣＮ２            コネクター
ＣＮ３            コネクター
ＣＮ４            コネクター
ｉ                電流
ｉ５              電流値
ｔ                時間
ｔｏ              コネクター接続時刻
ＬＥＤ            ＬＥＤ
Ｒ１              抵抗
Ｒ２              抵抗
Ｒ３              抵抗
Ｒ４              抵抗
Ｒ５              抵抗
Ｒ６              抵抗
Ｒ７              抵抗
ＳＷ１            スイッチ
ＳＷ２            スイッチ
ｎｐｎ            ｎｐｎ型トランジスター
ｐｎｐ            ｐｎｐ型トランジスター
Ｃ                コレクター
Ｅ                エミッタ−
Ｂ                ベース
ＢＥ              ベース  エミッター
ＥＢ              エミッター  ベース
ＣＥ              コレクター  エミッター
ＥＣ              エミッター    コレクター
Ｏｎ              入る
Ｏｆｆ            切る
ＯＮ              入る
ＯＦＦ            切る
Ｑ１              ｐｎｐトランジスター
Ｑ２              ｎｐｎトランジスター
Ｑ３              ｎｐｎトランジスター
Ｑ４              ｎｐｎトランジスター
Ｑ５              ｐｎｐトランジスター
Ｄ１              ダイオード
ＺＤ１            チェナーダイオード
Ｋ                接続切断検知手段
Ｓ１              検知信号手段
Ｓ２              検知信号手段
【図１】
2008117360.tif 000003
【図２】
2008117360.tif 000004
【図３】
2008117360.tif 000005
【図４】
2008117360.tif 000006
【図５】
2008117360.tif 000007
【図６】
2008117360.tif 000008
【図７】
2008117360.tif 000009
【図８】
2008117360.tif 000010
【図９】
2008117360.tif 000011
【図１０】
2008117360.tif 000012